(57)【特許請求の範囲】
【請求項１】
相対的に明度の低い主色要素と相対的に明度の高い副色要素とにより構成される背景画像の中に図形が配置された被処理画像に対して、前記図形の周囲の副色要素を消去する処理を行う画像処理装置であって、
前記図形の周囲の各位置において、前記主色要素の濃度値に基づいて前記副色要素の消去の要否を判断する判断手段と、
前記判断手段の判断結果に基づいて、前記副色要素の消去を実行する消去手段と、
を備えることを特徴とする画像処理装置。
【請求項２】
請求項１に記載の画像処理装置であって、
前記判断手段は、前記図形の周囲の各位置において、前記主色要素の濃度値を基準濃度値と比較することにより、前記副色要素の消去の要否を判断することを特徴とする画像処理装置。
【請求項３】
請求項２に記載の画像処理装置であって、
前記基準濃度値を設定する基準濃度値設定手段を更に備えることを特徴とする画像処理装置。
【請求項４】
請求項２または請求項３に記載の画像処理装置であって、
前記図形の周囲において前記主色要素の濃度値が前記基準濃度値以上となる領域の比率を基準比率と比較する比較手段と、
前記比較手段の比較結果に基づいて、前記消去手段による消去処理を取り消す取り消し手段と、
を更に備えることを特徴とする画像処理装置。
【請求項５】
請求項４に記載の画像処理装置であって、
前記基準比率を設定する基準比率設定手段を更に備えることを特徴とする画像処理装置。
【請求項６】
請求項１から請求項５までのいずれかに記載の画像処理装置であって、
前記図形とその周囲の所定幅の領域とを含む閉領域を切り出す切り出し手段を更に備え、
前記判断手段および前記消去手段は、前記切り出し手段により切り出された前記閉領域に対してそれぞれ処理を行うことを特徴とする画像処理装置。
【請求項７】
相対的に明度の低い主色要素と相対的に明度の高い副色要素とにより構成される背景画像の中に図形が配置された被処理画像に対して、図形の周囲の副色要素を消去する処理を行う画像処理方法であって、
前記図形の周囲の各位置において、前記主色要素の濃度値に基づいて前記副色要素の消去の要否を判断する判断工程と、
前記判断工程における判断結果に基づいて、前記副色要素の消去を実行する消去工程と、
を有することを特徴とする画像処理方法。
【請求項８】
相対的に明度の低い主色要素と相対的に明度の高い副色要素とにより構成される背景画像の中に図形が配置された被処理画像に対して、図形の周囲の副色要素を消去する処理を行うためのプログラムであって、
コンピュータに、
前記図形の周囲の各位置において、前記主色要素の濃度値に基づいて前記副色要素の消去の要否を判断する判断手順と、
前記判断手段の判断結果に基づいて、前記副色要素の消去を実行する消去手順と、
を実行させることを特徴とするプログラム。
【発明の詳細な説明】
【技術分野】
【０００１】
本発明は、リッチブラック等を使用した背景画像中に明度の高い図形が配置された被処理画像に対して、キックバック処理を行う画像処理装置、画像処理方法、およびプログラムに関する。
【背景技術】
【０００２】
従来より、カラー印刷用の画像は、複数の色要素（例えば、Ｃ（シアン）、Ｍ（マゼンタ）、Ｙ（イエロー）、Ｋ（ブラック）の各色要素）により構成され、色要素ごとに制作された印刷版により印刷用紙上に印刷される。そして、カラー印刷用の画像において黒色を表現するときには、Ｋ色だけではなく、他の色要素も加えてより深い黒色（いわゆる「リッチブラック」）を表現することがある。
【０００３】
このようなカラー印刷用の画像において、リッチブラックを使用した背景画像中に白抜き文字が配置されている場合、印刷用紙上において各印刷版の印刷位置が僅かにずれると、Ｋ色以外の色要素（例えばＣ，Ｍ，Ｙ）が白抜き文字の中へはみ出してしまう。このような不具合を防止するため、製版前の画像処理工程においては、白抜き文字の周囲の所定幅の領域においてＫ色以外の色要素を消去する処理（以下、「キックバック処理」と称する）が行われている。キックバック処理は、版ズレに起因する画像の劣化を防止するための画像処理であるトラップ処理の一種として処理される。
【０００４】
従来のトラップ処理に関する技術は、例えば特許文献１に開示されている。
【０００５】
【特許文献１】特開２００４−３４６３６号公報
【発明の開示】
【発明が解決しようとする課題】
【０００６】
しかしながら、従来のキックバック処理では、背景画像がイメージである場合（背景画像中のＫ色の濃度値が一定ではない場合）にも、白抜き文字の周囲の領域においてＫ色以外の色要素を一律に消去していた。このため、Ｋ色の濃度値が低い領域においては白抜き文字が太ったように見え、画像の外観上好ましくない場合があった。例えば、図６のような被処理画像３０に対してキックバック処理を行う場合、文字３２の周囲のＭ色を消去すると、図１３のように、被処理画像３０中において文字３２の上半分が太ったように見えてしまう。
【０００７】
これは、リッチブラックを使用した背景画像中に白抜き文字が配置される場合に特有の問題ではなく、相対的に明度の低い主色要素と相対的に明度の高い副色要素とにより構成される背景画像中に明度の高い図形が配置される被処理画像に対してキックバック処理を行う場合に、一般的に生じ得る問題である。
【０００８】
本発明は、このような問題に鑑みなされたものであり、背景画像がイメージである場合にも、図形の周囲において好適にキックバック処理を行うことができる画像処理装置、画像処理方法、およびプログラムを提供することを目的とする。
【課題を解決するための手段】
【０００９】
上記課題を解決するため、請求項１に係る発明は、相対的に明度の低い主色要素と相対的に明度の高い副色要素とにより構成される背景画像の中に図形が配置された被処理画像に対して、前記図形の周囲の副色要素を消去する処理を行う画像処理装置であって、前記図形の周囲の各位置において、前記主色要素の濃度値に基づいて前記副色要素の消去の要否を判断する判断手段と、前記判断手段の判断結果に基づいて、前記副色要素の消去を実行する消去手段と、を備えることを特徴とする。
【００１０】
請求項２に係る発明は、請求項１に記載の画像処理装置であって、前記判断手段は、前記図形の周囲の各位置において、前記主色要素の濃度値を基準濃度値と比較することにより、前記副色要素の消去の要否を判断することを特徴とする。
【００１１】
請求項３に係る発明は、請求項２に記載の画像処理装置であって、前記基準濃度値を設定する基準濃度値設定手段を更に備えることを特徴とする。
【００１２】
請求項４に係る発明は、請求項２または請求項３に記載の画像処理装置であって、前記図形の周囲において前記主色要素の濃度値が前記基準濃度値以上となる領域の比率を基準比率と比較する比較手段と、前記比較手段の比較結果に基づいて、前記消去手段による消去処理を取り消す取り消し手段と、を更に備えることを特徴とする。
【００１３】
請求項５に係る発明は、請求項４に記載の画像処理装置であって、前記基準比率を設定する基準比率設定手段を更に備えることを特徴とする。
【００１４】
請求項６に係る発明は、請求項１から請求項５までのいずれかに記載の画像処理装置であって、前記図形とその周囲の所定幅の領域とを含む閉領域を切り出す切り出し手段を更に備え、前記判断手段および前記消去手段は、前記切り出し手段により切り出された前記閉領域に対してそれぞれ処理を行うことを特徴とする。
【００１６】
請求項７に係る発明は、相対的に明度の低い主色要素と相対的に明度の高い副色要素とにより構成される背景画像の中に図形が配置された被処理画像に対して、図形の周囲の副色要素を消去する処理を行う画像処理方法であって、前記図形の周囲の各位置において、前記主色要素の濃度値に基づいて前記副色要素の消去の要否を判断する判断工程と、前記判断工程における判断結果に基づいて、前記副色要素の消去を実行する消去工程と、を有することを特徴とする。
【００１７】
請求項８に係る発明は、相対的に明度の低い主色要素と相対的に明度の高い副色要素とにより構成される背景画像の中に図形が配置された被処理画像に対して、図形の周囲の副色要素を消去する処理を行うためのプログラムであって、コンピュータに、前記図形の周囲の各位置において、前記主色要素の濃度値に基づいて前記副色要素の消去の要否を判断する判断手順と、前記判断手段の判断結果に基づいて、前記副色要素の消去を実行する消去手順と、を実行させることを特徴とする。
【発明の効果】
【００１８】
請求項１〜６に記載の発明によれば、画像処理装置は、図形の周囲の各位置において主色要素の濃度値に基づいて副色要素の消去の要否を判断する判断手段と、判断手段の判断結果に基づいて、副色要素の消去を実行する消去手段と、を備える。このため、主色要素の濃度値が所定の条件を満たす箇所においてのみ、限定的に副色要素の消去を行うことができる。したがって、背景画像がイメージである場合にも、図形の周囲において好適にキックバック処理を行うことができる。
【００１９】
特に、請求項２に記載の発明によれば、判断手段は、図形の周囲の各位置において、主色要素の濃度値を基準濃度値と比較することにより、副色要素の消去の要否を判断する。このため、主色要素の濃度値が高い箇所においてのみ、限定的に副色要素の消去を行うことができる。したがって、背景画像がイメージである場合にも、図形の周囲において好適にキックバック処理を行うことができる。
【００２０】
特に、請求項３に記載の発明によれば、画像処理装置は、基準濃度値を設定する基準濃度値設定手段を更に備える。このため、印刷の種類や被処理画像の種類に応じて基準濃度値を最適値に設定することができる。
【００２１】
特に、請求項４に記載の発明によれば、画像処理装置は、図形の周囲において主色要素の濃度値が基準濃度値以上となる領域の比率を基準比率と比較する比較手段と、比較手段の比較結果に基づいて、消去手段による消去処理を取り消す取り消し手段と、を更に備える。このため、１つの図形の周囲において部分的に実行される処理を、必要に応じて取り消すことができる。したがって、１つの図形の周囲において部分的に処理がされているとかえって外観品質を低下させてしまうような場合にも対応することができる。
【００２２】
特に、請求項５に記載の発明によれば、画像処理装置は、基準比率を設定する基準比率設定手段を更に備える。このため、印刷の種類や被処理画像の種類に応じて基準比率を最適値に設定することができる。
【００２３】
特に、請求項６に記載の発明によれば、画像処理装置は、図形とその周囲の所定幅の領域とを含む閉領域を切り出す切り出し手段を更に備え、判断手段および消去手段は、切り出し手段により切り出された閉領域に対してそれぞれ処理を行う。このため、被処理画像全体に対して処理を行う必要はなく、画像処理の効率が向上する。
【００２５】
また、請求項７に記載の発明によれば、画像処理方法は、図形の周囲の各位置において、主色要素の濃度値に基づいて副色要素の消去の要否を判断する判断工程と、判断工程における判断結果に基づいて、副色要素の消去を実行する消去工程と、を有する。このため、主色要素の濃度値が所定の条件を満たす箇所においてのみ、限定的に副色要素の消去を行うことができる。したがって、背景画像がイメージである場合にも、図形の周囲において好適にキックバック処理を行うことができる。
【００２６】
また、請求項８に記載の発明によれば、プログラムは、コンピュータに、図形の周囲の各位置において、主色要素の濃度値に基づいて副色要素の消去の要否を判断する判断手順と、判断手段の判断結果に基づいて、副色要素の消去を実行する消去手順と、を実行させる。このため、主色要素の濃度値が所定の条件を満たす箇所においてのみ、限定的に副色要素の消去を行うことができる。したがって、背景画像がイメージである場合にも、図形の周囲において好適にキックバック処理を行うことができる。
【発明を実施するための最良の形態】
【００２７】
以下、本発明の好適な実施形態について、図面を参照しつつ説明する。
【００２８】
＜１．画像処理装置の構成＞
図１は、本発明の一実施形態に係る画像処理装置１０を含む製版システム１の構成を示したブロック図である。製版システム１は、主として画像処理装置１０と製版装置２０とを有しており、これらの装置をＬＡＮ５０を介して接続した構成となっている。画像処理装置１０は、演算処理部１１、記憶部１２、表示部１３、操作部１４、および通信部１５を備えた一般的なコンピュータにより構成されている。これらの各部はバスライン１６を介して電気的に接続されており、相互にデータの送受信を行うことができる。
【００２９】
演算処理部１１は、ＣＰＵまたはＭＰＵにより構成され、記憶部１２に格納されたプログラム１２ｃおよび操作部１４から入力された指示に基づいて所定の演算処理を行うことにより、画像処理を実行する。具体的には、後述するＩＤドロー処理、関係図形の登録、トラップルールの適用、トラップ図形の作成等の各処理が、演算処理部１１において実行される。記憶部１２は、ＲＯＭ、ＲＡＭ、ハードディスク等により構成され、画像処理に必要な種々のデータを保存する。例えば、記憶部１２には、後述する基準濃度値１２ａや基準比率１２ｂの情報が保存されている。また、記憶部１２には、演算処理部１１に画像処理を実行させるためのプログラム１２ｃが格納されている。
【００３０】
表示部１３は、液晶ディスプレイやＣＲＴ等の表示デバイスにより構成され、オペレータに対して画像や種々の情報を表示する。操作部１４は、キーボードやマウス等により構成され、オペレータからの操作入力を受け付ける。例えば、オペレータは、操作部１４を操作することにより、記憶部１２に保持されている基準濃度値１２ａや基準比率１２ｂの値を任意に設定することができる。通信部１５は、画像処理装置１０をＬＡＮ５０に接続するためのインターフェイス機能を有する。例えば、ＬＡＮ５０を経由して伝送された被処理画像は、通信部１５を介して画像処理装置１０へ入力される。また、画像処理装置１０において画像処理された被処理画像は、通信部１５を介してＬＡＮ５０へ出力される。
【００３１】
製版装置２０は、画像処理後の被処理画像を色要素ごとに印刷版に記録し、カラー印刷に使用される複数の印刷版を製造する。製版装置２０は、例えば、印刷版を保持しつつ主走査方向に回転するドラムや、印刷版に対してレーザ光線を射出しつつ副走査方向に移動する記録ヘッド等により構成される。
【００３２】
＜２．画像処理装置による画像処理＞
続いて、上記の画像処理装置１０において実行される画像処理について、図２〜図５のフローチャートおよび図６〜図１２の画像例を参照しつつ説明する。以下の画像処理において処理対象となる被処理画像は、複数のオブジェクト（図形）が配置されたカラー印刷用の画像であり、例えばPortable Document FormatやPostScript（登録商標）の形式で記述された画像データとして製版システム１へ入稿される。
【００３３】
図２は、画像処理装置１０における画像処理の全体的な流れを示したフローチャートである。製版システム１に被処理画像が入稿されると、入稿された被処理画像は、ＬＡＮ５０を経由して伝送され、通信部１５を介して画像処理装置１０へ入力される（ステップＳ１１）。画像処理装置１０は、被処理画像のフォーマットやヘッダの記述内容が以後の画像処理に適合したものとなっているか否かをチェックする。そして、画像処理に適合していないと判断した場合には、被処理画像の入力を拒否するとともに表示部１３にその旨を表示する。また、画像処理に適合していると判断した場合には、被処理画像の入力を許可する。
【００３４】
図６は、画像処理装置１０へ入力された被処理画像の例を示した図である。図６の被処理画像３０は、図７の概念図に示したように、背景画像３１の上位側に「Ｆ」形の白抜きの文字３２を配置した画像である。背景画像３１の下半分にはＭ色１００％とＫ色１００％とにより構成されたリッチブラックが使用されており、背景画像３１の上半分にはＭ色１００％のみが使用されている。すなわち、背景画像３１は、Ｋ色の濃度値が一定ではない「イメージ」となっている。また、文字３２は、背景画像３１を構成する色要素を有さない明度の高い「白抜き図形」となっている。被処理画像３０を色要素ごとに分解すると、図８のようにＭ版画像３３とＫ版画像３４とが生成される。
【００３５】
図２に戻り、画像処理装置１０は、入力された被処理画像についてＩＤドロー処理を行う（ステップＳ１２）。ＩＤドロー処理では、画像処理装置１０は、被処理画像を構成するオブジェクトにそれぞれ識別のためのＩＤを付与し、ビットマップ上において各オブジェクトが占めるピクセルに当該オブジェクトのＩＤを記述していく。図６の被処理画像３０についてＩＤドロー処理を行う場合、被処理画像３０のうち相対的に下位に配置されているオブジェクトである背景画像３１にＩＤ「１」が付与され、相対的に上位に配置されているオブジェクトである文字３２にＩＤ「２」が付与されるものとすると、図９に示したように、ビットマップ４０上において背景画像３１に対応するピクセルにはＩＤ「１」が記述され、文字３２に対応するピクセルにはＩＤ「２」が記述される。
【００３６】
続いて、画像処理装置１０は、画像を構成するオブジェクトごとに隣接する下位のオブジェクト（関係図形）を登録する（ステップＳ１３）。具体的には、上記のビットマップを縦横に走査しつつ各ピクセルに記述されたＩＤを読み取る。そして、対象とするオブジェクトに含まれるピクセルと隣接し、かつ、対象とするオブジェクトのＩＤよりも小さいＩＤが記述されているピクセルがある場合には、そのピクセルを含むオブジェクトを関係図形として登録する。図９のビットマップ４０では、文字３２（ＩＤ：２）に対して背景画像３１（ＩＤ：１）が関係図形として登録される。
【００３７】
その後、画像処理装置１０は、被処理画像を構成するオブジェクトとその関係図形との間に適用すべきトラップ処理の種類（トラップルール）を決定する（ステップＳ１４）。図３は、トラップルールの適用工程の流れをより詳細に示したフローチャートである。まず、画像処理装置１０は、トラップルール未適用のオブジェクトを選択する（ステップＳ２１）。そして、当該オブジェクトが明度の高い図形であるか（ステップＳ２２）、当該オブジェクトに登録されている関係図形があるか（ステップＳ２３）、当該オブジェクトの関係図形がイメージであるか（ステップＳ２４）、をそれぞれ調べ、全ての項目に該当する場合には、当該オブジェクトと関係図形との間に適用するトラップ処理として「キックバック処理」を選択する（ステップＳ２５）。一方、上記の項目のうち１つでも該当しない場合には、当該オブジェクトと関係図形との間に適用するトラップ処理として「他のトラップ処理」を選択する（ステップＳ２６）。
【００３８】
例えば、被処理画像３０ついてトラップルールの適用を行う場合、ステップＳ２１において文字３２を選択すると、文字３２は明度の高い白抜き図形であり、文字３２には関係図形として背景画像３１が登録されており、かつ、背景画像３１はイメージであるため、文字３２と背景画像３１との間に適用するトラップ処理として「キックバック処理」が選択される。その後、画像処理装置１０は、トラップルール未適用のオブジェクトが残っているかどうかを調べ（ステップＳ２７）、トラップルールを適用していないオブジェクトが残っている場合には、ステップＳ２１に戻って当該オブジェクトについてトラップルールの適用を行う。
【００３９】
ステップＳ２７においてトラップルール未適用のオブジェクトが残っていない場合には、図２のフローチャートに戻り、画像処理装置１０は、被処理画像を構成する各オブジェクトについてトラップ図形の作成を行う（ステップＳ１５）。図４は、トラップ図形の作成工程の流れをより詳細に示したフローチャートである。まず、画像処理装置１０は、トラップ図形未作成のオブジェクトを選択し（ステップＳ３１）、選択されたオブジェクトに適用されているトラップルールの種類を調べる（ステップＳ３２）。選択されたオブジェクトに適用されているトラップルールが「キックバック処理」である場合には、下記のステップＳ３３〜Ｓ３５を実行することにより、キックバック処理を行う。
【００４０】
キックバック処理においては、まず、選択されたオブジェクトとその周囲の所定幅の領域とを含む閉領域を生成し（ステップＳ３３）、その閉領域を被処理画像から切り出す（ステップＳ３４）。例えば、被処理画像３０において文字３２を選択すると、図１０に示したように、文字３２とその周囲の所定幅の領域とを含む閉領域３２ａが生成され、被処理画像３０から閉領域３２ａが切り出される。
【００４１】
そして、画像処理装置１０は、切り出した閉領域に対して、色要素の消去処理を行う（ステップＳ３５）。図５は、色要素の消去処理の流れをより詳細に示したフローチャートである。まず、画像処理装置１０は、閉領域内の未処理ピクセルを選択し（ステップＳ４１）、選択されたピクセルにおいて相対的に明度の低い色要素に相当するＫ色の濃度値を、記憶部１２に記憶されている基準濃度値１２ａと比較する（ステップＳ４２）。そして、選択されたピクセルのＫ色の濃度値が基準濃度値１２ａ以上である場合には、当該ピクセルにおいてＫ色以外の色要素の消去が必要と判断し（ステップＳ４３）、当該ピクセルのＫ色以外の色要素の濃度値を消去する（ステップＳ４４）。一方、選択したピクセルにおけるＫ色の濃度値が基準濃度値１２ａ未満である場合には、当該ピクセルにおいてＫ色以外の色要素の消去は不要と判断する（ステップＳ４５）。これにより、Ｋ色の濃度値が高い領域についてのみ、キックバック処理が選択的に実行されることとなる。
【００４２】
例えば、基準濃度値１２ａが「９５％」に設定されているものとして、上記の閉領域３２ａに対して色要素の消去処理を行う場合について、図１１を参照しつつ、説明する。画像処理装置１０は、閉領域３２ａ中のリッチブラックのピクセルを選択すると、当該ピクセルにおけるＫ色の濃度値は１００％であり、基準濃度値１２ａ以上であるため、Ｍ色の消去が必要と判断する。したがって、当該ピクセルのＭ色の濃度値を０％に書き換える。また、画像処理装置１０は、閉領域３２ａ中のＭ色のピクセルを選択すると、当該ピクセルにおけるＫ色の濃度値は０％であり、基準濃度値１２ａ未満であるため、Ｍ色の消去は不要と判断する。したがって、当該ピクセルのＭ色の濃度値を１００％のまま維持する。
【００４３】
その後、画像処理装置１０は、閉領域内に未処理のピクセルが残っているかどうかを調べ（ステップＳ４６）、未処理のピクセルが残っている場合には、ステップＳ４１に戻って当該ピクセルについて色要素の消去処理を行う。一方、未処理のピクセルが残っていない場合には、次に、閉領域内の白抜き図形の周囲の全ピクセルのうち、Ｋ色の濃度値が基準濃度値１２ａ以上となっていたピクセルの比率を調べ、当該比率を記憶部１２に記憶されている基準比率１２ｂと比較する（ステップＳ４７）。そして、Ｋ色の濃度値が基準濃度値１２ａ以上となっていたピクセルの比率が基準比率１２ｂ以上である場合には、上記のステップＳ４４で実行された色要素の消去処理を維持する。一方、Ｋ色の濃度値が基準濃度値１２ａ以上となっていたピクセルの比率が基準比率１２ｂ未満である場合には、上記のステップＳ４４で実行された色要素の消去処理を取り消す（ステップＳ４８）。すなわち、色要素の消去処理がされた閉領域の画像を破棄し、消去処理前の閉領域の画像を返す。
【００４４】
その後、図４のフローチャートに戻り、画像処理装置１０は、処理後の閉領域を被処理画像上に配置する（ステップＳ３６）。これにより、被処理画像中のオブジェクトの周囲において、Ｋ色の濃度値が高い領域についてのみキックバック処理がされた画像が生成される。例えば、図１１のように処理された閉領域３２ａを被処理画像３０上に配置すると、図１２に示したように、文字３２の下半分の周囲においてのみＭ色の消去処理がされた画像が生成される。文字３２の上半分の周囲においてはＭ色の消去処理はされていないため、文字３２の上半分が太ったように見えることはなく、外観上の不都合は生じない。
【００４５】
一方、上記のステップＳ３２において、選択されたオブジェクトに適用されているトラップルールが「他のトラップ処理」である場合には、当該トラップルールに従いトラップ処理を行う（ステップＳ３７）。その後、画像処理装置１０は、トラップ図形未作成のオブジェクトが残っているかどうかを調べ（ステップＳ３８）、トラップ図形未作成のオブジェクトが残っている場合には、ステップＳ３１に戻って当該オブジェクトについてトラップ図形の作成を行う。
【００４６】
ステップＳ３８において、トラップ図形未作成のオブジェクトが残っていない場合には、図２のフローチャートに戻り、画像処理装置１０は、画像処理後の被処理画像を出力する（ステップＳ１６）。被処理画像は、通信部１５を介して出力され、ＬＡＮ５０を経由して製版装置２０へ転送される。製版装置２０は、受信した被処理画像に基づき、色要素ごとに印刷版を作成する。
【００４７】
以上のように、この画像処理装置１０は、文字の周囲の各位置においてＫ色の濃度値を基準濃度値１２ａと比較することにより、他の色要素の消去の要否を判断する。そして、その判断結果に基づいて色要素の消去処理を実行する。このため、Ｋ色の濃度値が高い領域においてのみ、限定的に色要素の消去処理を行うことができる。したがって、背景画像がイメージである場合に、文字の周囲において好適にキックバック処理を行うことができる。
【００４８】
また、画像処理装置１０では、オペレータが操作部１４から入力操作を行うことにより、記憶部１２に保持されている基準濃度値１２ａを任意に設定することができる。このため、印刷の種類や被処理画像の種類に応じて基準濃度値を最適値に設定することができる。
【００４９】
また、画像処理装置１０は、文字の周囲においてＫ色の濃度値が基準濃度値１２ａ以上となる領域の比率を基準比率１２ｂと比較し、その比較結果に基づいて色要素の消去処理を取り消す。このため、１つの文字の周囲において部分的に実行されるキックバック処理を、必要に応じて取り消すことができる。これにより、１つの文字の周囲において部分的にキックバック処理がされているとかえって外観品質を低下させてしまうような場合にも対応することができる。
【００５０】
また、画像処理装置１０では、オペレータが操作部１４から入力操作を行うことにより、記憶部１２に保持されている基準比率１２ｂを任意に設定することができる。このため、印刷の種類や被処理画像の種類に応じて基準比率を最適値に設定することができる。
【００５１】
また、画像処理装置１０は、文字とその周囲の所定幅の領域とを含む閉領域を切り出し、切り出された閉領域に対して判断処理および色要素の消去処理を行う。このため、被処理画像全体に対して処理を行う必要はなく、画像処理の効率が向上する。
【００５２】
＜３．変形例＞
以上、本発明の一実施形態について説明したが、本発明は上記の例に限定されるものではない。例えば、上記の被処理画像３０は、Ｋ色とＭ色とにより構成される背景画像中に白抜きの文字３２が配置されたものであったが、Ｋ色の代わりに明度の低い特色を使用してもよい。また、Ｍ色だけではなく、Ｃ色やＹ色が使用されていてもよい。すなわち、背景画像は、相対的に明度の低い主色要素（Ｋ色，特色など）と相対的に明度の高い副色要素（Ｃ色，Ｍ色，Ｙ色など）とにより構成されていればよい。また、背景画像中に配置される図形は、上記の文字に限定されるものではなく、白抜きの図形やストロークであってもよい。また、複数の副色要素が使用されている場合には、図形中に一部の副色要素が残っていてもよい。もちろん、被処理画像中に配置される図形の数は１つに限定されるものではなく、複数であってもよい。
【００５３】
また、上記の画像処理装置１０は、Ｋ色の濃度値を基準濃度値１２ａと比較することにより、他の色要素の消去の要否を判断したが、本発明の判断処理は、必ずしも基準濃度値１２ａとの比較によるものでなくてもよい。例えば、図形の周囲の各位置において、主色要素の濃度値と副色要素の濃度値とのバランスを調べ、その結果に基づいて副色要素の消去の要否を判断してもよい。すなわち、本発明の判断処理は、少なくとも主色要素の濃度値に基づく判断処理であればよい。
【図面の簡単な説明】
【００５４】
【図１】画像処理装置を含む製版システムの構成を示したブロック図である。
【図２】画像処理の全体的な流れを示したフローチャートである。
【図３】トラップルール適用工程の流れを示したフローチャートである。
【図４】トラップ図形作成工程の流れを示したフローチャートである。
【図５】色要素消去処理の流れを示したフローチャートである。
【図６】画像処理装置へ入力される被処理画像の例を示した図である。
【図７】被処理画像をオブジェクトごとに分解した図である。
【図８】被処理画像を色要素ごとに分解した図である。
【図９】ＩＤドロー処理により生成されるビットマップの例を示した図である。
【図１０】被処理画像からの閉領域が切り出しについて示した図である。
【図１１】閉領域に対する色要素の消去処理について示した図である。
【図１２】画像処理後の被処理画像の例を示した図である。
【図１３】従来の画像処理後の被処理画像の例を示した図である。
【符号の説明】
【００５５】
１    製版システム
１０    画像処理装置
１１    演算処理部
１２    記憶部
１２ａ    基準濃度値
１２ｂ    基準比率
１２ｃ    プログラム
１３    表示部
１４    操作部
１５    通信部
２０    製版装置
３０    被処理画像
３１    背景画像
３２    文字
３２ａ    閉領域
３３    Ｍ版画像
３４    Ｋ版画像
５０    ＬＡＮ
【図１】
0004628986.tif 000002
【図２】
0004628986.tif 000003
【図３】
0004628986.tif 000004
【図４】
0004628986.tif 000005
【図５】
0004628986.tif 000006
【図６】
0004628986.tif 000007
【図７】
0004628986.tif 000008
【図８】
0004628986.tif 000009
【図９】
0004628986.tif 000010
【図１０】
0004628986.tif 000011
【図１１】
0004628986.tif 000012
【図１２】
0004628986.tif 000013
【図１３】
0004628986.tif 000014